(57)【要約】【課題】ロケーション情報を提供するための方法および装置。【解決手段】ロケーション、日付、時刻、ユーザの好みなどのような、これらに限定されないが、移動局に知られている情報は、インターネットウェブページ、電子メールメッセージ、写真アプリケーションのような、これらに限定されないが、進行中のアプリケーションから得られる情報と、あるいは、ユーザによって直接に入力される情報と、組み合わせられる。次いで、ユーザは、アクセスするロケーションベースのオプションのインテリジェントリストを提示される。【選択図】      図２
2009500967.tif 000002
【特許請求の範囲】
【請求項１】
ロケーション情報を提供する方法であって、
移動局のロケーションを決定することと、
ロケーションに関連した移動局ベースのアプリケーションから情報を取り出すことと、
前記移動局のロケーションと、前記移動局ベースのアプリケーションから取り出された前記情報とに基づいて、前記移動局のユーザに対してインテリジェントロケーション情報オプションを提示することと、
を備える方法。
【請求項２】
ロケーション情報をユーザに対して提供するための移動局であって、
移動局のロケーションを決定するための手段と、
ロケーションに関連した移動局ベースのアプリケーションから情報を取り出すための手段と、
前記移動局のロケーションと、前記移動局ベースのアプリケーションから取り出された前記情報とに基づいて、前記移動局のユーザに対してインテリジェントロケーション情報オプションを提示するための手段と、
を備える移動局。
【発明の詳細な説明】
【優先権の主張】
【０００１】
本願は、その譲受人に譲渡され、参照によりここに組み込まれる、２００５年７月７日に出願された、「ＧＳＭ／ＵＭＴＳハンドセット測位要件(GSM/UMTS Handset Positioning Requirements)」と題された仮米国出願シリアル番号第６０／６９７，１７１号に対する優先権を主張する。
【背景】
【０００２】
Ｉ．分野
本発明は、一般に通信に関し、より詳細にはロケーション情報(location information)を提供するための技法に関する。
【０００３】
ＩＩ．背景
ネットワーク中におけるワイヤレスデバイス、例えばセルラ電話、パーソナルコミュニケーションシステム(personal communication system)（ＰＣＳ）、ワイヤレスラップトップコンピュータなどのロケーション(location)を知ることは、多くの場合に望ましく、時として必要なことがある。例えば、ワイヤレスユーザは、ウェブサイトを介してブラウズするためにワイヤレスデバイスを利用することができ、またロケーションの影響を受けやすいコンテンツ(location sensitive content)上でクリックすることができる。次いでウェブサーバは、ワイヤレスデバイスのロケーションについてネットワークに照会する(query)ことができる。ネットワークは、ワイヤレスデバイスのロケーションを確認する(ascertain)ためにワイヤレスデバイスを用いてロケーション処理を開始することができる。次いでネットワークは、ワイヤレスデバイスについてのロケーション推定値(location estimate)をウェブサーバに対して戻すであろう、このウェブサーバは、適切なコンテンツをワイヤレスユーザに対して提供するためにこのロケーション推定値を使用することができる。ワイヤレスデバイスのロケーションの知識が有用または必要である多数の他のシナリオが存在する。以下の説明においては、用語「ロケーション(location)」と「ポジション(position)」は、同義語であり、交換可能に使用される。
【０００４】
したがって、一部のワイヤレスデバイスは、デバイスのロケーションに基づいた、ロケーションベースのサービス、例えば、データあるいはメッセージングのサービス、コール経路指定(call routing)、関心のある近くのポイント、など、を提供するように構成されるが、ユーザの要求で、ユーザに使用可能な測位情報オプション(positioning information option)を拡張することが有用になるであろう。したがって、ワイヤレスデバイスに関連してロケーション情報を効果的に提供する技法についての、当技術分野における必要性が存在する。
【発明の開示】
【０００５】
［概要］
ロケーション情報オプションを効率的に提供するための技法が、提示される。日付、時刻、ユーザの好み、連絡先リスト、などのような、これだけには限定されないが、移動局に知られている情報を、インターネットウェブページ、電子メールメッセージ、写真アプリケーション、のような、これだけには限定されないが、進行中のアプリケーションから得られる情報、あるいは、ユーザによって直接に入力される情報と組み合わせることによって、ユーザは、ロケーションベースのオプションのインテリジェントリスト(intelligent list)を提示される。
【０００６】
［詳細な説明］
本発明の特徴および性質は、同様な参照キャラクタが全体をとおして対応して識別する図面と併せて解釈されると以下に記述される詳細な説明から、より明らかになるであろう。
【０００７】
用語「例示的な(exemplary)」は、「１つの例(example)、インスタンス(instance)、または例証(illustration)としての機能を果たしている」を意味するようにここにおいて使用される。ここにおいて「例示的な」として説明される任意の実施形態あるいは設計は、他の実施形態あるいは設計よりも好ましいあるいは有利であるものとして必ずしも解釈されるべきであるとは限らない。
【０００８】
ここにおいて説明されるロケーション情報技法は、符号分割多元接続(Code Division Multiple Access)（ＣＤＭＡ）ネットワーク、時分割多元接続(Time Division Multiple Access)（ＴＤＭＡ）ネットワーク、周波数分割多元接続(Frequency Division Multiple Access)（ＦＤＭＡ）ネットワーク、直交周波数分割多元接続(Orthogonal Frequency Division Multiple Access)（ＯＦＤＭＡ）ネットワーク、前述の技術の組合せをサポートするネットワーク、ワイヤレスローカルエリアネットワーク(wireless local area network)（ＷＬＡＮ）カバレージはもとよりワイドエリアネットワーク(wide area network)（ＷＡＮ）カバレージも有するネットワークなど、様々なワイヤレスネットワークとの関連で使用されることができる。ＣＤＭＡネットワークは、ワイドバンドＣＤＭＡ(Wideband CDMA)（Ｗ−ＣＤＭＡ）やｃｄｍａ２０００など、１つまたは複数のＣＤＭＡ無線アクセス技術(radio access technology)（ＲＡＴ）をインプリメントすることができる。ｃｄｍａ２０００は、ＩＳ−２０００規格、ＩＳ−８５６規格、およびＩＳ−９５規格をカバーする。ＴＤＭＡネットワークは、移動体通信用グローバルシステム(Global System for Mobile Communications)（ＧＳＭ）、デジタル高度移動電話システム(Digital Advanced Mobile Phone System)（Ｄ−ＡＭＰＳ）など、１つまたは複数のＴＤＭＡ  ＲＡＴをインプリメントすることができる。Ｄ−ＡＭＰＳは、ＩＳ−１３６とＩＳ−５４とをカバーする。これらの様々なＲＡＴと規格は、当技術分野において知られている。Ｗ−ＣＤＭＡおよびＧＳＭは、「第三世代パートナーシッププロジェクト(3rd Generation Partnership Project)」（３ＧＰＰ）と名付けられるコンソーシアムからのドキュメント中において説明される。ｃｄｍａ２０００は、「第三世代パートナーシッププロジェクト２(3rd Generation Partnership Project 2)」（３ＧＰＰ２）と名付けられるコンソーシアムからのドキュメント中において説明される。３ＧＰＰドキュメントおよび３ＧＰＰ２ドキュメントは、公的に入手可能である。
【０００９】
ここにおいて使用される用語「ワイヤレスデバイス(wireless device)」または「ワイヤレス端末(wireless terminal)」は、一般に、移動局(mobile station)（ＭＳ）、ユーザ装置(user equipment)（ＵＥ）、セルラ電話、パーソナルコミュニケーションシステム（ＰＣＳ）、ワイヤレスラップトップコンピュータなどとも称される。用語、ワイヤレスデバイスは、なんらかの特定の装置に限定されるべきではない。
【００１０】
図１は、その内部に方法および装置がインプリメントされることができるワイヤレス多重アクセス通信ネットワーク(wireless multiple-access communication network)１００を示す。ネットワーク１００は、各基地局が特定の地理的区域についての通信カバレージを提供する複数の(multiple)基地局１１０を含んでいる。基地局は一般に、以下に総称して移動局（ＭＳｓ）と称される端末と通信する、固定局である。基地局は、アクセスポイント、ノードＢ、ビーコン、または他の何らかの専門用語で呼ばれることもできる。用語「セル(cell)」は、その用語が使用される状況(context)に応じて基地局および／またはそのカバレージ区域(coverage area)を意味することができる。基地局は、異なるサイズと形状のカバレージ区域を有することができ、これらは、地形(terrain)や障害物など、様々なファクタによって決定されることができる。システム容量を改善するために、基地局のカバレージ区域は、複数の(multiple)より小さな区域(areas)へと区分される(partitioned)ことができる。より小さな各区域は、それぞれのベーストランシーバサブシステム(base transceiver subsystem)（ＢＴＳ）によってサービスされる(served)。簡単にするために、以下の説明においては、用語「基地局」は、セルにサービスする固定局と同様にセクタにサービスする固定局を総称して指す。
【００１１】
システムコントローラ１３０は、基地局１１０に結合し、これらの基地局についての調整(coordination)および制御(control)を提供する。システムコントローラ１３０は、単一のネットワークエンティティ(network entity)、またはネットワークエンティティの集まり、であってもよい。例えば、システムコントローラ１３０は、１つまたは複数の基地局コントローラ(Base Station Controller)（ＢＳＣ）、モバイル交換局(Mobile Switching Center)（ＭＳＣ）、無線ネットワークコントローラ(Radio Network Controller)（ＲＮＣ）、パケットデータサービングノード(Packet Data Serving Node)（ＰＤＳＮ）、および／または他の何らかのネットワークエンティティを含むことができる。ポジション決定エンティティ(Position Determining Entity)（ＰＤＥ）１３２は、移動局１２０についてのポジション決定をサポートする。例えば、ＰＤＥ１３２は、ＭＳベースのモードにおいてポジションを決定するために移動局によって使用される支援データを提供することができる。ＰＤＥ１３２は、ＭＳ支援モードにおいて移動局および／または基地局によってもたらされるレンジング測定値(ranging measurements)に基づいて移動局１２０についてのポジション推定値を計算することもできる。
【００１２】
移動局１２０は、一般的にネットワーク１００全体にわたって分散し、また、各移動局は、固定されることもでき、あるいはモバイルとすることもできる。移動局１２０は、端末、アクセス端末、ユーザ装置、または他の何らかの専門用語で呼ばれることもできる。移動局１２０は、ワイヤレスデバイス、セルラ電話、ワイヤレスモデム、ワイヤレスモジュール、テレメトリデバイス(telemetry device)、携帯型個人情報端末(personal digital assistant)（ＰＤＡ）、ワイヤレスアクセス付きのラップトップなどとすることができる。移動局１２０は、与えられた任意の瞬間に順方向リンクおよび／または逆方向リンク上でゼロ個、１つ、または複数の基地局と通信することができる。移動局１２０はまた、それぞれここにおいて衛星測位システム(Satellite Positioning System)（ＳＰＳ）と一般に呼ばれる全地球測位システム(Global Positioning System)（ＧＰＳ）、ガリレオ(Galileo)、および／または他の衛星測位あるいは衛星のシステムからであり得る、衛星１４０からの信号を受信することもできる。一般に、良好な受信信号品質が順方向リンクについても逆方向リンクについても達成されることができる場合には、移動局１２０は、ネットワーク１００と直接に通信することができる。
【００１３】
図２は、ポジションロケーション機能を有する従来の移動局１２０中に含められる基本的なコンポーネントのブロック図を示している。移動局１２０は、ＳＰＳ信号を受信することと同様に、ワイヤレス通信信号を送信することおよび受信することが可能な、ワイヤレス通信トランシーバ２００とおよび関連するアンテナ２０２を含んでいる。モデム２０４は、１つ（または複数）の適切なマイクロプロセッサと、１つ（または複数）のデジタル信号処理プロセッサと、他の適切なハードウェア、例えば、信号を処理するための、これに限定されないが、相関器バンク(correlator bank)など、とを含んでいる。パワー管理部(Power management)２０６は、移動局１２０の様々なコンポーネントについてのパワーの問題を制御する。メモリ２０８は、様々なモデムプロセスをインプリメントするために必要なものとしてモデム２０４に結合される。移動局１２０は、アルファニューメリックキーパッド(alphanumeric keypad)、ディスプレイ、マイクロフォン、スピーカなどとの適切なユーザインターフェースを含んでいる。
【００１４】
移動局１２０が様々なコンポーネントを含むことができることは、当業者によって理解されるであろう。ここにおいて説明される方法は、移動局１２０のマイクロプロセッサおよびメモリ上で動作する適切な命令によってインプリメントされることができるが、もちろんそのようなインプリメンテーションだけには限定されない。
【００１５】
移動局１２０についてのロケーション推定値は、ＵＥベースの測位モード、ＵＥ支援の測位モード、またはネットワークベースの測位モードを使用して取得されることができる。測位(positioning)は、ターゲット移動局の地理的ロケーションを検出し、または決定する機能(functionality)を意味する。ＵＥベースのモードでは、移動局のロケーションは、おそらくサービングモバイルロケーションセンタ(serving mobile location center)（ＳＭＬＣ）からの支援データを用いて、移動局によって決定される。ＵＥ支援モードでは、移動局のロケーションは、移動局からの支援（例えば、測定値）を用いてＳＭＬＣによって決定される。ネットワークベースのモードの場合、移動局のロケーションは、移動局からのどんな特別な支援もなしに、サービングネットワークによって取得され、あるいはサービングネットワークにすでに知られている情報に基づいて決定される。
【００１６】
ＵＥベースのモードおよびＵＥ支援モードは、全地球測位システム（ＧＰＳ）、支援ＧＰＳ(assisted GPS)（Ａ−ＧＰＳ）、ハイブリッド、高度順方向リンク三辺測量(advanced forward link trilateration)（Ａ−ＦＬＴ）、拡張観測時差(enhanced observed time difference)（Ｅ−ＯＴＤ）、観測到着時差(observed time difference of arrival)（ＯＴＤＯＡ）など、様々な測位法を利用することができる。ネットワークベースのモードは、アップリンク到着時刻(uplink time of arrival)（Ｕ−ＴＯＡ）、アップリンク到着時差(uplink time difference of arrival)（Ｕ−ＴＤＯＡ）、セル−ＩＤ、拡張セル−ＩＤなど、様々な測位法を利用することができる。１つまたは複数の測位モードについての複数の測位法は、組み合わせて使用されることもできる。ＧＰＳ法およびＡ−ＧＰＳ法は、衛星測定値だけに基づいて移動局についてのロケーション推定値を導き出し、高精度を有する。ハイブリッド法は、衛星測定値と基地局測定値の両方に基づいてロケーション推定値を導き出し、高精度と高信頼性を有する。Ａ−ＦＬＴ法、Ｅ−ＯＴＤ法、およびＯＴＤＯＡ法は、ＵＥによって行われる基地局タイミングの測定値に基づいてロケーション推定値を導き出し、もっと中間の精度(intermediate accuracy)を有する。Ｕ−ＴＯＡ法およびＵ−ＴＤＯＡ法は、サービングネットワークによって行われるＵＥタイミングの測定値に基づいてロケーション推定値を導き出し、もっと中間の精度を有する。セル−ＩＤ法および拡張セル−ＩＤ法は、セルラネットワークに基づいてロケーション推定値を導き出し、より粗い精度(coarser accuracy)を有する。これらの様々な測位法は当技術分野において知られている。
【００１７】
ここにおける方法および装置は、移動局のユーザインターフェースキーパッド(user interface keypad)の一部分としてユーザによって動作可能な測位キー(positioning key)を含んでいる。一例として、測位キーは、ユーザが、現在のポジション、ポジションの履歴、外部エンティティに対するポジションの通知、測位設定、を閲覧する(view)ために、かつ／または、デバイスが動作するように構成されることができるロケーションベースのアプリケーションを開始するために選択することができる、ロケーションメニューの表示を開始することができる。
【００１８】
さらに、測位アプリケーションは、デバイス上で動作可能な他のアプリケーション内で、測位キーの使用をとおして、ユーザに利用される。これらの他のアプリケーションは、ブラウザ、メール、連絡先リストまたは電話帳、写真、およびお気に入りのロケーションを、これらに限定されないが、含むことができる。測位キーを押すことの利点は、ユーザが、別のアプリケーション内で動作させながら、ロケーション情報、例えば、これらに限定されないが、地図(maps)、方向(directions)、ナビゲーションへのリンケージ(linkage to navigation)、他のロケーションベースの情報など、を迅速に取り出すことである。測位キーは、ロケーションデータのインポート／エクスポート機能を開始するために使用されることもできる。日付、時刻、ユーザの好み、連絡先リストなどのような、これらに限定されないが、移動局に知られている情報と、インターネットウェブページ、電子メールメッセージ、写真アプリケーションのような、これらに限定されないが、進行中のアプリケーションから得られる情報、あるいはユーザによって直接に入力される情報、とを組み合わることにより、ユーザは、ロケーションベースのオプションのインテリジェントリストを提示される。ここにおいて説明される実施形態は、本方法および装置の範囲を限定するようには意味されておらず、むしろ、その適用可能性を明らかにするように意味されている。
【００１９】
一実施形態においては、測位キーを選択することは、移動局に、そのロケーションを、最近決定されていないのであれば決定させ、そして、ユーザのロケーション、その曜日(the day of the week)、時刻(time of day)、およびある種のユーザの好みを考慮に入れ、ユーザに対してインテリジェントオプション(intelligent options)を提供させる。例えば、移動局が、地図を表示できるように、あるいは、現在の知られているポジションから入力された住所へのナビゲーション指示を提供できるように、ユーザは、曜日のその時刻に作業するようにユーザの通常の経路(route)におけるトラフィック遅延について促されて(prompted)もよいし、あるいは、ユーザは、住所を入力するように促されてもよい。
【００２０】
別の実施形態においては、測位キーを選択することは、ユーザに、かれらが電子メールメッセージまたは他のタイプのメッセージの内部に含まれる住所へとナビゲートすることを望むかどうかを促す。別の例においては、測位キーは、ユーザがブラウザ中において閲覧しているウェブページにおいて記述される、例えば小売店などの、エンティティ(entity)の物理的ロケーションへのナビゲーション指示または地図を、ユーザに提供する。あるいは、ユーザは、住所、地図、またはそのエンティティへの方向を移動局連絡先リストまたは電話帳に保存すること、あるいはそれをユーザのお気に入りのロケーションに追加すること、のオプションを提示されることができる。
【００２１】
測位キーはさらに、ショートメッセージングサービス(short messaging service)（ＳＭＳ）またはマルチメディアメッセージングサービス(multimedia messaging service)（ＭＭＳ）を経由してロケーション情報を送信することをサポートする。上記されるブラウザアプリケーションおよびメールアプリケーションと同様に、この機能は、ＳＭＳ／ＭＭＳへの、あるいはからの、ナビゲーション指示または地図作成(mapping)に直接リンケージを提供すること、および、連絡先リスト、電話帳、お気に入りのロケーション、または他のメモリベースのアプリケーションにおいてロケーション情報を追加することまたは記憶すること、を含む。
【００２２】
移動局の電話帳、アドレス帳、連絡先リスト、あるいは同様なもの（ここでは総称して「アドレス帳」と呼ばれる）を動作させながら、測位キーは、アドレス帳から、またはアドレス帳に、ロケーション情報をインポートすることあるいはエクスポートすること、アドレス帳中におけるロケーション情報を編集することあるいはアップデートすること、アドレス帳を経由して地図またはナビゲーション情報を表示すること、アドレス帳からメール（電子メール、ＳＭＳ、ＭＭＳなど）によるロケーション情報を送信すること、および、ロケーション情報をお気に入りのリストに追加すること、のオプションをサポートする。さらに、アドレス帳は、測位キーを経由して順序づけられることができる。このオプションにおいては、各エントリに関連したロケーション情報は、それによりエントリがソートされる一次フィルタとして使用される。例えば、移動局の現在のロケーションを知りながら、ユーザは、エントリが、ユーザのロケーションに対する距離の順序でリストアップされたアドレス帳を閲覧できる。
【００２３】
一部の移動局の第３世代パートナーシッププロジェクト（３ＧＰＰ）の「プッシュトゥトーク」オーバセルラ("push-to-talk" over cellular)（「ＰｏＣ」）機能に関連して、測位キーは、別の移動局の近接度インジケータ(proximity indicator)をサポートする。それは、ＰｏＣコールが発せられるときに、プライバシー条件が満たされることを仮定して、ユーザのロケーション情報を送信することのオプションもサポートする。さらに、測位キーは、ＰｏＣコールを受信するときに、この場合にもプライバシー条件が満たされることを仮定して、受信する移動局がそのロケーションに反応することをサポートする。
【００２４】
バディリストオプション(Buddy list option)、例えば、これらに限定されないが、例えばユーザへの近さ(proximity)などのロケーションによりリストを順序づけること、−  例えばリストの特定のメンバへの、または、からの、バディリストからのナビゲーションの指示または地図への直接リンケージ、−  例えば定義された周辺(perimeter)の範囲内などの、ロケーションに基づいたバディグループあるいは個人に対するＰｏＣコールへの直接リンケージ、および、ロケーションに基づいたバディのグループあるいはメンバに対するＳＭＳ／ＭＭＳへの直接リンケージ、は、ポジショニングキーによってサポートされている。
【００２５】
移動局の現在の位置（「マイポジション(my position)」）に関連して、ユーザは、アイドル状態のときに、コールを行うとき、写真を撮るとき、ＳＭＳ／ＭＭＳを送信するときなどに、「マイポジション」から、または「マイポジション」に対してロケーション情報をインポートしエクスポートし、「マイポジション」に関連したロケーション情報を編集し、「マイポジション」を経由して地図またはロケーション情報を表示し、「マイポジション」からメールによって情報を送信し、ロケーション情報をお気に入りのロケーションに追加し、「マイポジション」をリフレッシュすることが、いずれにしても手作業で(manually)できる。
【００２６】
多くの移動局上で一般的にインプリメントされるカレンダアプリケーションにおいては、測位キーは、この場合にも、ミーティングロケーション、ロケーションとミーティングロケーションに到着するためにかかる時間とに基づいてミーティングに対してユーザに警告するインテリジェント警告、のような、カレンダからの地図およびナビゲーション情報への直接リンケージを提供することができ、  −  これは、現在のポジションあるいは方向を他の出席者に送信して、トランスポーテーションタイプ(transportation type)およびトラフィック(traffic)の知識に基づいて拡張されることができ、  また、ミーティングロケーションをお気に入りのロケーションに加えることができる。
【００２７】
測位キーは、内蔵カメラが使用されているときに、ロケーション情報を獲得することと；ピクチャと共にロケーション情報を記憶することと；（記憶されたロケーション情報を有する）ピクチャ／ｍｍｓ／電子メールを閲覧するときにロケーション情報をお気に入りのロケーションに追加することと；により、同様に写真アプリケーションと統合される。あなたが目的地(destination)（デフォルト）または出発するポイントとして写真ロケーションを設定することができる（車で行く／歩いて行く）ナビゲーションに対する直接リンケージと；お気に入りのロケーションにロケーション情報を追加することと：写真中のロケーション情報についての地図を表示することと；ｓｍｓ／ｍｍｓまたは電子メールにより写真および地図／方向／ロケーションの情報とを送信することと；を提供することもまた可能である。
【００２８】
お気に入りのロケーションのアプリケーション中におけるときは、ユーザは、ロケーションが目的地（デフォルト）または出発するポイントとして設定されるナビゲーション情報への直接リンケージと；お気に入りのロケーションからそのロケーションの地図を作成する直接リンケージと：ナビゲートする目的地のお気に入りのロケーションについて記憶することと：お気に入りのロケーションにおけるロケーション情報を獲得することと／編集することと；お気に入りのロケーションからｓｍｓ／ｍｍｓによって地図／方向／ロケーション情報を送信することと；が、提供される。これらの同じオプションは、同様にポジション履歴アプリケーションからも提供される。
【００２９】
ユーザの好みまたはパラメータは、ユーザによって入力され、ジオフェンシングパラメータ(geofencing parameter)、典型的なスケジュール、デフォルトオプション、および同様なものを含んでいる。
【００３０】
ここにおいて開示される技法は、様々な手段によりインプリメントされることができる。例えば、本技法は、ハードウェア、ソフトウェア、またはそれらの組合せの形でインプリメントされることができる。ハードウェアインプリメンテーションの場合、各エンティティにおいて処理を実行するために使用されるユニットは、ここにおいて説明される機能を実行するように設計される、１つまたは複数の特定用途向け集積回路(application specific integrated circuit)（ＡＳＩＣ）、デジタル信号処理プロセッサ(digital signal processor)（ＤＳＰ）、デジタル信号処理デバイス(digital signal processing device)（ＤＳＰＤ）、プログラマブルロジックデバイス(programmable logic device)（ＰＬＤ）、フィールドプログラマブルゲートアレイ(field programmable gate array)（ＦＰＧＡ）、プロセッサ、コントローラ、マイクロコントローラ、マイクロプロセッサ、電子デバイス、他の電子ユニット、あるいはそれらの組合せの中でインプリメントされることができる。
【００３１】
ソフトウェアインプリメンテーションの場合、本技法は、ここにおいて説明される機能を実行するモジュール（例えば、プロシージャ、ファンクションなど）を用いてインプリメントされることができる。ソフトウェアコードは、メモリユニット（例えば、図２のメモリユニット２０８）に記憶され、プロセッサによって実行される。メモリユニットは、プロセッサ内に、あるいはプロセッサの外部にインプリメントされることができる。
【００３２】
開示される実施形態の以上の説明は、どんな当業者も本発明を作り、または使用することを可能とするように提供されている。これらの実施形態に対する様々な修正は、当業者に容易に明らかになるであろう、そして、ここにおいて定義される包括的な原理は、本発明の精神あるいは範囲を逸脱することなく他の実施形態に対しても適用されることができる。したがって、本発明は、ここにおいて示される実施形態だけに限定されるようには意図されておらず、ここにおいて開示される原理および新規な特徴と整合する最も広い範囲が与えられるべきであるように意図されている。
【図面の簡単な説明】
【００３３】
【図１】ワイヤレス通信システムを示す図である。
【図２】従来の移動局の中に含まれるコンポーネントの図である。
【図１】
2009500967.tif 000003
【図２】
2009500967.tif 000004
【国際調査報告】
2009500967.tif 000005
2009500967.tif 000006
2009500967.tif 000007